(57)【特許請求の範囲】
【請求項１】
異種無線ネットワーク（ＨｅｔＮｅｔ）においてハンドオーバーを実行するための方法であり、
前記ＨｅｔＮｅｔのアンカーサービングセルにおいて、複数のセルに関してユーザ機器（ＵＥ）により作成された複数のチャネル測定報告を受信する段階であって、前記アンカーサービングセルからターゲット送信ポイント（ターゲットＴＰ）へ送信ポイント（ＴＰ）の変更が生じたときに前記ＵＥが無線リソース再設定の実行を回避することを可能とすべく、前記複数のチャネル測定報告のうちの１又は複数は、１又は複数のＵＥ固有の無線リソース制御設定されたパラメータを用いて初期化されている、段階と、
前記アンカーサービングセルから前記複数のセルのうち１つに位置する前記ターゲットＴＰへ、前記ＵＥに関する前記複数のチャネル測定報告に部分的に基づく送信ポイント変更要求（ＴＰ変更要求）を送信する段階と、
前記ＵＥが無線インタフェースを介して通信を行う相手であるＴＰの変更を示すべく前記アンカーサービングセルから前記ＵＥへＴＰ変更インジケータを送信する段階と
を備える方法。
【請求項２】
前記方法は、前記アンカーサービングセルにおいて前記ターゲットＴＰを介して前記ＵＥから複数のアップリンクパケットを受信する段階をさらに備え、
前記複数のアップリンクパケットは、前記無線インタフェースを介して前記ＵＥからターゲットＴＰへ送信され、前記ターゲットＴＰから前記アンカーサービングセルへ転送され、
前記方法は、前記無線インタフェースを介した前記ＵＥへの送信のために、前記アンカーサービングセルから前記ターゲットＴＰへ複数のダウンリンクパケットを送信する段階をさらに備える、請求項１に記載の方法。
【請求項３】
前記複数のチャネル測定報告を受信する段階はさらに、前記アンカーサービングセルから前記ターゲットＴＰへの前記ＴＰの変更が生じたときに実行される無線リソース再設定を要求することなく、前記ＵＥのために前記アンカーサービングセルから前記ターゲットＴＰへのハンドオーバーが生じることを可能とすべく、複数のチャネル状態情報リファレンス信号（ＣＳＩ−ＲＳ）を初期化する前記１又は複数のＵＥ固有の無線リソース制御設定されたパラメータを用いて前記ＵＥによる前記複数のチャネル測定報告を受信する段階を有する、請求項１または２に記載の方法。
【請求項４】
ダウンリンク制御情報（ＤＣＩ）と、無線リソース制御（ＲＲＣ）シグナリングと、媒体アクセス制御（ＭＡＣ）制御要素（ＣＥ）とのうち１つを用いて、前記アンカーサービングセルから前記ＵＥへ前記ＴＰ変更インジケータを送信する段階をさらに備える、請求項１から３のいずれか一項に記載の方法。
【請求項５】
前記ターゲットＴＰを介して前記アンカーサービングセルから前記ＵＥへマスター情報ブロック（ＭＩＢ）とシステム情報ブロック（ＳＩＢ）とのうち少なくとも１つを送信する段階をさらに備える、請求項１から４のいずれか一項に記載の方法。
【請求項６】
無線リソース制御（ＲＲＣ）層シグナリングを用いて前記ターゲットＴＰから前記ＵＥへマスター情報ブロック（ＭＩＢ）とシステム情報ブロック（ＳＩＢ）とのうち少なくとも１つを送信する段階をさらに備える、請求項１から５のいずれか一項に記載の方法。
【請求項７】
前記方法は、ソースＴＰからターゲットＴＰへ変更する段階をさらに備え、
前記変更する段階は、
前記ＨｅｔＮｅｔの前記アンカーサービングセルにおいて、前記複数のセルに関して前記ユーザ機器（ＵＥ）により作成された複数のチャネル測定報告を受信する段階と、
前記複数のチャネル測定報告に部分的に基づき、ＴＰの変更が実行されることを識別する段階と、
前記ソースＴＰがＴＰ変更要求を前記ターゲットＴＰへ転送すること可能とするよう前記ターゲットＴＰに指示する前記ＴＰ変更要求を前記アンカーサービングセルから前記ソースＴＰへ送信する段階と
を備える、請求項１から６のいずれか一項に記載の方法。
【請求項８】
前記方法は、前記アンカーサービングセルへのアップリンク／ダウンリンクデータパスを形成する段階をさらに備え、
前記形成する段階は、
前記アンカーサービングセルと、モバイル制御エンティティ（ＭＭＥ）およびサービングゲートウェイ（Ｓ−ＧＷ）のうち少なくとも１つとの間のｓ１データ接続を形成する段階と、
前記ＵＥとのＵｕ接続を有する前記ターゲットＴＰを介して、前記ＭＭＥおよび前記Ｓ−ＧＷのうち１つと前記ＵＥとの間のデータ通信を可能とすべく、前記アンカーサービングセルと前記ターゲットＴＰとの間のＸ２インタフェースを形成する段階と
を備える、請求項１から７のいずれか一項に記載の方法。
【請求項９】
前記アンカーサービングセルと前記ターゲットＴＰとの間のアップリンクデータ転送およびダウンリンクデータ転送を可能とすべく、前記アンカーサービングセルと前記ターゲットＴＰとの間のＵプレーントンネルを形成する段階と、
前記アンカーサービングセルと前記ターゲットＴＰとの間のダウンリンクおよびアップリンクのためにシグナリング無線ベアラー（ＳＲＢ）通信を可能とすべく、前記アンカーサービングセルと前記ターゲットＴＰとの間のｃプレーントンネルを形成する段階と
をさらに備える、請求項８に記載の方法。
【請求項１０】
異種無線ネットワーク（ＨｅｔＮｅｔ）においてハンドオーバーを実行するユーザ機器（ＵＥ）であり、
前記ＵＥはコンピュータ回路を備え、
前記コンピュータ回路は、
アンカーサービングセルからターゲット送信ポイント（ターゲットＴＰ）へ送信ポイント（ＴＰ）の変更が生じたときに前記ＵＥが無線リソース再設定の実行を回避することを可能とする１又は複数のＵＥ固有の無線リソース制御設定されたパラメータを用いて、初期化されるように構成された前記ＵＥの１又は複数の物理チャネルを用いて通信し、
前記ＵＥとの無線インタフェースのための前記ターゲット送信ポイント（ターゲットＴＰ）を示す送信ポイント変更インジケータを、前記アンカーサービングセルから前記ＵＥにおいて受信し、
前記ターゲットＴＰがコアネットワークへの通信のためにアップリンクデータを前記アンカーサービングセルへ転送することを可能とするよう、前記１又は複数の物理チャネルを用いて前記ＵＥから前記ターゲットＴＰへ前記アップリンクデータを送信し、
前記アンカーサービングセルから前記ターゲットＴＰへの前記ＴＰの変更が生じたときに無線リソース再設定を実行させることなく、前記アンカーサービングセルを介して前記コアネットワークから前記ターゲットＴＰへ送信されるダウンリンクデータを、前記ＵＥにおいて前記ターゲットＴＰから受信する、ＵＥ。
【請求項１１】
さらに、ダウンリンク制御情報（ＤＣＩ）と、無線リソース制御（ＲＲＣ）シグナリングと、媒体アクセス制御（ＭＡＣ）制御要素（ＣＥ）とのうち１つを用いて、前記ＵＥにおいて前記送信ポイント変更インジケータを受信する回路を備える、請求項１０に記載のＵＥ。
【請求項１２】
さらに、キャリア固有リソース信号（ＣＲＳ）が前記ターゲットＴＰに関連する場合に、前記ターゲットＴＰに関するＣＲＳリソース要素（ＲＥ）の位置を特定し、
複数の前記ＣＲＳリソース要素（ＲＥ）のために用いられない物理ダウンリンク共有チャネル（ＰＤＳＣＨ）リソース要素を受信する回路を備える、請求項１０または１１に記載のＵＥ。
【請求項１３】
さらに、前記ターゲットＴＰに対応するチャネル状態情報（ＣＳＩ）リファレンス信号（ＲＳ）情報に基づき無線リンクモニタリングおよびアップリンク電力制御を実行する回路を備える、請求項１０から１２のいずれか一項に記載のＵＥ。
【請求項１４】
さらに、前記ターゲットＴＰが前記アンカーサービングセルとは異なる受信ポイント（ＲＰ）を含む場合に、前記ターゲットＴＰとのアップリンク同期化を実行すべく、前記ターゲットＴＰへ物理ランダムアクセスチャネル（ＰＲＡＣＨ）プリアンブルを送信する回路を備える、請求項１０から１３のいずれか一項に記載のＵＥ。
【請求項１５】
さらに、前記ターゲットＴＰのチャネル状態情報リファレンス信号（ＣＳＩ−ＲＳ）を用いて無線リンクモニタリングおよびアップリンク電力制御を実行する回路を備える、請求項１０から１４のいずれか一項に記載のＵＥ。
【請求項１６】
さらに、前記ターゲットＴＰの前記ＣＳＩ−ＲＳを用いて同期リファレンスを変更する回路を備える、請求項１５に記載のＵＥ。
【請求項１７】
さらに、前記アンカーサービングセルにより構成される無線リソース制御（ＲＲＣ）層を継続して使用しつつ、前記ＵＥのために前記アンカーサービングセルから前記ターゲットＴＰへのハンドオーバーが生じることを可能とすべく、複数のチャネル状態情報リファレンス信号（ＣＳＩ−ＲＳ）を用いて前記ＵＥによる複数のチャネル測定報告を送信する回路を備える、請求項１０から１６のいずれか一項に記載のＵＥ。
【請求項１８】
前記ＵＥが、アンテナ、タッチセンサー式ディスプレイスクリーン、スピーカ、マイク、グラフィックプロセッサ、アプリケーションプロセッサ、内部メモリ、不揮発性メモリポート、およびこれらの組み合わせのうち少なくとも１つを備える、請求項１０から１７のいずれか一項に記載のＵＥ。
【請求項１９】
１又は複数のＵＥ固有の無線リソース制御設定されたパラメータを用いて初期化されるように構成される前記ＵＥの前記１又は複数の物理チャネルは、物理ダウンリンク共有チャネル（ＰＤＳＣＨ）、拡張物理ダウンリンク制御チャネル（Ｅ−ＰＤＣＣＨ）、物理アップリンク共有チャネル（ＰＵＳＣＨ）、物理アップリンク制御チャネル（ＰＵＣＣＨ）またはサウンディングリファレンス信号（ＳＲＳ）のうちの１又は複数を含む、請求項１０から１８のいずれか一項に記載のＵＥ。
【請求項２０】
ターゲット送信ポイント（ターゲットＴＰ）における異種ネットワーク（ＨｅｔＮｅｔ）ハンドオーバーデバイスであり、
アンカーサービングセルからターゲット送信ポイント（ターゲットＴＰ）へ送信ポイント（ＴＰ）の変更が生じたときにユーザ機器（ＵＥ）が無線リソース再設定を実行しないように１又は複数のＵＥ固有の無線リソース制御設定されたパラメータを用いて、初期化されるように構成される前記ＵＥの１又は複数の物理チャネルを用いて通信するように構成された前記ＵＥに関してアンカーサービングセルからＴＰ変更要求を受信する送信ポイント（ＴＰ）変更モジュールと、
コアネットワーク（ＣＮ）から送信されるダウンリンク情報を前記アンカーサービングセルから受信するダウンリンクデータ転送モジュールと、
前記ＵＥへ前記ダウンリンク情報を送信し、前記ＵＥと前記ターゲット送信ポイントとの間の無線インタフェースを介して、前記１又は複数の物理チャネルを用いて、前記ＵＥからアップリンク情報を受信する無線インタフェースモジュールと、
前記アンカーサービングセルから前記ターゲットＴＰへの前記ＴＰの変更が生じたときに無線リソース再設定を実行させることなく、前記ＵＥが前記ターゲットＴＰを介して前記ＣＮと通信することを可能とすべく、前記ＣＮへの通信のために前記アップリンク情報を前記アンカーサービングセルへ送信するアップリンク転送モジュールと
を備えるＨｅｔＮｅｔハンドオーバーデバイス。
【請求項２１】
前記アンカーサービングセルからのパケットをバッファ処理するバッファモジュールをさらに備える、請求項２０に記載のＨｅｔＮｅｔハンドオーバーデバイス。
【請求項２２】
前記ダウンリンクデータ転送モジュールはさらに、Ｘ２インタフェースを介して前記アンカーサービングセルから前記ダウンリンク情報を受信する、請求項２０または２１に記載のＨｅｔＮｅｔハンドオーバーデバイス。
【請求項２３】
前記ダウンリンク情報は、Ｓ１接続を介して、モバイル制御エンティティ（ＭＭＥ）とサービングゲートウェイ（Ｓ−ＧＷ）とのうち少なくとも１つから前記アンカーサービングセルへ受信される、請求項２０から２２のいずれか一項に記載のＨｅｔＮｅｔハンドオーバーデバイス。
【請求項２４】
１又は複数のＵＥ固有の無線リソース制御設定されたパラメータを用いて初期化されるように構成される前記ＵＥの前記１又は複数の物理チャネルは、物理ダウンリンク共有チャネル（ＰＤＳＣＨ）、拡張物理ダウンリンク制御チャネル（Ｅ−ＰＤＣＣＨ）、物理アップリンク共有チャネル（ＰＵＳＣＨ）、物理アップリンク制御チャネル（ＰＵＣＣＨ）またはサウンディングリファレンス信号（ＳＲＳ）のうちの１又は複数を含む、請求項２０から２３のいずれか一項に記載のＨｅｔＮｅｔハンドオーバーデバイス。
【発明の詳細な説明】
【背景技術】
【０００１】
無線モバイル通信技術は、ノード（例えば、送信局または送受信機ノード）と無線デバイス（例えば、モバイルデバイス）との間でデータを送信するために様々な規格およびプロトコルを用いる。いくつかの無線デバイスは、ダウンリンク（ＤＬ）送信において直交周波数分割多元接続（ＯＦＤＭＡ）を用い、アップリンク（ＵＬ）送信においてシングルキャリア周波数分割多元接続（ＳＣ−ＦＤＭＡ）を用いて通信を行う。信号送信のために直交周波数分割多重（ＯＦＤＭ）を用いる規格およびプロトコルには、第３世代パートナーシッププロジェクト（３ＧＰＰ）ロングタームエボリューション（ＬＴＥ）Ｒｅｌ．８、９、および１０、業界団体にはＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として一般的に知られているＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６規格（例えば、８０２．１６ｅ、８０２．１６ｍ）、および、業界団体にはＷｉＦｉとして一般的に知られているＩＥＥＥ  ８０２．１１  −２０１２規格が含まれる。
【０００２】
３ＧＰＰ無線アクセスネットワーク（ＲＡＮ）ＬＴＥシステムにおいて、ノードは、ユーザ機器（ＵＥ）として知られる無線デバイスと通信を行うＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）Ｎｏｄｅ  Ｂ（進化型ノードＢ、拡張ノードＢ、ｅＮｏｄｅＢ、またはｅＮＢとしても一般的に示される）と、Ｒａｄｉｏ  Ｎｅｔｗｏｒｋ  Ｃｏｎｔｒｏｌｌｅｒ（ＲＮＣ）との組み合わせであり得る。ダウンリンク（ＤＬ）送信は、ノード（例えば、ｅＮｏｄｅＢ）から無線デバイス（例えば、ＵＥ）への通信であり得、アップリンク（ＵＬ）送信は、無線デバイスからノードへの通信であり得る。
【０００３】
同種ネットワークにおいて、マクロノードとも呼ばれるノードは、セル内の無線デバイスへの基本となる無線カバレッジを提供し得る。セルは、無線デバイスがマクロノードと通信を行うよう動作可能なエリアであり得る。異種ネットワーク（ＨｅｔＮｅｔ）は、無線デバイスの増加した使用量および高められた機能に起因する、マクロノードに対する増大したトラヒック負荷を処理するために用いられ得る。ＨｅｔＮｅｔは、計画された高電力のマクロノード（またはマクロｅＮＢ）の層と、それに重なる、より低い電力のノード（スモールｅＮＢ、マイクロｅＮＢ、ピコｅＮＢ、フェムトｅＮＢ、またはホームｅＮＢ［ＨｅＮＢ］）の層とを含み得る。後者の層は、マクロノードのカバレッジエリア（セル）内で、それ程よく計画されていない、またはさらには全く調整されていないやり方で配置され得る。より低い電力のノード（ＬＰＮ）は概して、「低電力ノード」、スモールノード、またはスモールセルと呼ばれ得る。
【０００４】
マクロノードは、基本となるカバレッジのために用いられ得る。低電力ノードは、マクロノードの地理的なカバレッジエリア（つまり、セル）内、およびマクロノードのカバレッジエリア間の境界におけるカバレッジホールを埋めるために用いられ得る。低電力ノードは、使用量の多いエリアのキャパシティを向上させ、建造物が信号送信を妨げる屋内のカバレッジを向上させるためにも用いられ得る。
【０００５】
同種ネットワークまたはＨｅｔＮｅｔは、ＤＬまたはＵＬ送信のために時分割二重化（ＴＤＤ）または周波数分割二重化（ＦＤＤ）を用い得る。時分割二重化（ＴＤＤ）は、ダウンリンク信号およびアップリンク信号を分離するための時分割多重化（ＴＤＭ）の適用である。ＴＤＤにおいて、ダウンリンク信号およびアップリンク信号は、同じキャリア周波数で伝達され得る。ここでダウンリンク信号は、アップリンク信号とは異なる時間間隔を用いるので、ダウンリンク信号とアップリンク信号とは互いに干渉を生じさせない。ＴＤＭは、ダウンリンクまたはアップリンクなど２またはそれより多いビットストリームまたは信号が１つの通信においてサブチャネルとして見かけ上同時に転送されるが、物理的には異なるリソースで送信されるタイプのデジタル多重化である。周波数分割二重化（ＦＤＤ）において、アップリンク送信およびダウンリンク送信は、異なる周波数キャリアを用いて動作し得る。ＦＤＤにおいて、ダウンリンク信号がアップリンク信号とは異なる周波数キャリアを用いるので、干渉が回避され得る。
【図面の簡単な説明】
【０００６】
本願発明の特徴および利点は、以下に続く詳細な説明と、本願発明の特徴を例として共に示す添付の図面とを併せて検討することにより明らかとなるであろう。
【図１】異種無線ネットワークのブロック図を示す。
【図２】第３世代パートナーシッププロジェクト（３ＧＰＰ）無線ネットワークのブロック図を示す。
【図３】実施例に係る、ユーザ機器（ＵＥ）のための送信ポイントの変更のフロー図を示す。
【図４】他の実施例に係る、ＵＥのための送信ポイントの変更の追加的なフロー図を示す。
【図５ａ】実施例に係る、ＵＥのための送信ポイントの変更を提供する例示的なネットワークアーキテクチャのブロック図を示す。
【図５ｂ】実施例に係る、図５ａのネットワークアーキテクチャにおいて動作する異種ネットワークハンドオーバーデバイスのブロック図を示す。
【図６ａ】実施例に係る、ＵＥのための送信ポイントの変更を提供するプロトコルアーキテクチャのブロック図を示す。
【図６ｂ】実施例に係る、ＵＥのための送信ポイントの変更を提供する追加的なプロトコルアーキテクチャのブロック図を示す。
【図７】実施例に係る、異種無線ネットワーク（ＨｅｔＮｅｔ）においてハンドオーバーを実行するための方法のフローチャートを示す。
【図８】実施例に係る、無線デバイス（例えば、ＵＥ）の図を示す。  示される例示的な実施形態が参照され、それらを説明するべく本明細書において特定の用語が用いられる。しかしながら、そのことによって本願発明の範囲を限定することが意図されていないことは理解されよう。
【発明を実施するための形態】
【０００７】
本願発明が開示および説明される前に、本願発明は、本明細書に開示される特定の構造、処理ステップ、または材料に限定されず、当業者が理解するように、それらの同等物にまで拡大されることを理解されたい。本明細書において採用される用語は特定の実施形態を説明することのみを目的として用いられており、限定することは意図されていないことも理解されるべきである。
【０００８】
定義  本明細書で用いられるように、「実質的に」という用語は、動作、特性、特質、状態、構造、項目、または結果の度合いまたは程度が、完全またはほぼ完全であることを指す。例えば、「実質的に」包囲された物体とは、完全に包囲された、またはほぼ完全に包囲された物体のことを意味し得る。絶対的な完全性からの逸脱の正確な許容可能な度合いは、場合によっては、特定の文脈に依存し得る。しかし、概していえば、どの程度完全であるかは、絶対的であり全体的な完全性が得られた場合と同じような全体的な結果が得られるかどうかに関連する。「実質的に」という用語の使用は、動作、特性、特質、状態、構造、項目、または結果の完全な、またはほぼ完全な欠如を指す場合に否定的な意味で用いられる場合にも等しく適用可能である。
【０００９】
本明細書で用いられるように、「ノード」および「セル」という用語は両方共、同義語であることが意図されており、ｅＮｏｄｅＢまたは低電力ノードなど複数のユーザ機器と通信するよう動作可能である無線送信ポイントを指す。
【００１０】
他の用語は、本明細書の本文の他の箇所において定義され得る。
【００１１】
例示的な実施形態  以下において、技術的な実施形態の最初の概要が提供され、その後、特定の技術的な実施形態がさらに詳細に説明される。この最初の要約は、読者が技術をより迅速に理解するのを補助するように意図されており、技術の主要な特徴または必須である特徴を特定することは意図されておらず、特許請求される主題の範囲を限定することも意図されていない。以下の定義は、後述される概要および実施形態を明確にすべく提供される。
【００１２】
ピコノードなど多数である可能性のある低電力ノードが、マクロｅＮＢによりカバーされる地理的領域内に存在し得る。例えば、図１は、カバレッジエリア１０４を提供するマクロｅＮＢ１０２を図示している。このカバレッジエリア内には２つのピコセル１０６、１０８があり、ピコセル１０６、１０８は、ピコセル１０６、１０８へのオフロードをマクロｅＮＢが実行することを可能とすることにより、使用量の多いエリアのキャパシティを向上させるために用いられ得る。他のピコセル１１０がカバレッジエリア１０４の端に存在するものとして図示されている。図１に示されるように、ピコセル１１０は、マクロノードのカバレッジエリア１０４内、およびマクロノードのカバレッジエリア間の境界におけるカバレッジホールを埋めるために用いられ得る。
【００１３】
３つのピコノード１０６、１０８、１１０がマクロノード１０２のカバレッジエリア内に示されているが、マクロノードのカバレッジエリアは数百、さらには数千のピコノードを含み得る。例えば、ＨｅＮＢとして構成されるピコノードは、１つのマクロノードのカバレッジエリア内にある数百または数千の家に位置し得る。
【００１４】
マクロノードのカバレッジエリア内に位置する多数の低電力ノードと相対的にユーザ機器（ＵＥ）が動き回る場合、頻繁なハンドオーバーが生じ得る。頻繁なハンドオーバーは典型的には所望されない。なぜなら、３ＧＰＰ  ＬＴＥ仕様書Ｒｅｌ．８、９、および１０に概要が述べられているようにハンドオーバー処理は、ＵＥと無線ネットワークとの間で通信される無線リソース制御（ＲＲＣ）シグナリングメッセージなどかなり多数のオーバヘッドメッセージを伴うからである。加えて、ハンドオーバーは、ＬＰＮなど新たなノードのカバレッジエリアにＵＥが入る場合に、物理層の再構成およびランダムアクセスとのアップリンク同期化を含む追加的なオーバヘッドも伴い得る。
【００１５】
明確にすべく、無線ネットワークに関して短い概観を提供する。図２は、３ＧＰＰ  ＬＴＥ無線アクセスネットワーク（ＲＡＮ）システムの例を図示する。システムは、リリース８、９、１０、および１１など３ＧＰＰ  ＬＴＥ仕様に基づいて動作する。図２に示される無線ネットワーク２００は、ＲＡＮ２１０および進化型パケットコア（ＥＰＣ）２６０から成っている。３ＧＰＰ  ＬＴＥに関して、図２に示されるＲＡＮ２１０は、ｅＮｏｄｅＢ２１２Ａ、２１２Ｂとして表される進化型ユニバーサル地上無線アクセス（Ｅ−ＵＴＲＡＮ、またはｅＵＴＲＡＮ）若しくはＵＴＲＡＮモジュールなど送信ノードを含み得る。ｅＮｏｄｅＢは、前述したように、マクロノードと複数の低電力ノードとのうち両方を含み得る。
【００１６】
ＲＡＮ２１０は、進化型パケットコア（ＥＰＣ）２６０と通信を行い得る。ＥＰＣは、サービングゲートウェイ（Ｓ−ＧＷ）２２０およびモビリティ制御エンティティ（ＭＭＥ）２３０を含み得る。ＥＰＣは、インターネット２８０、イントラネット、または他の同様のネットワークなど、Ｓ−ＧＷをパケットデータネットワーク（ＰＤＮ）に結合するＰＤＮゲートウェイ（Ｐ−ＧＷ）２４２も含み得る。Ｓ−ＧＷは、ＲＡＮに関連するモバイルデバイスのために、インターネットネットワークアクセスおよび標準的なネットワークアクセスを提供し得る。Ｓ−ＧＷとＭＭＥとは、ケーブル、ワイヤ、光ファイバ、および／または、ルータまたはリピータなど送信ハードウェアを介して互いに直接通信を行いうる。
【００１７】
ｅＮｏｄｅＢ２１２Ａ〜Ｂは、ＬＴＥ無線リンク２１５Ａ〜Ｂをそれぞれ介してＵＥ２５０Ａ〜Ｂなど１または複数のＵＥと接続され得る。ｅＮＢを接続するために、Ｘ２リンクなどバックホールリンク２１４が用いられ得る。Ｘ２リンクは典型的には、ｅＮＢ間のブロードバンドの有線または光接続上に形成される。ｅＮＢ２１２Ａ〜Ｂ、Ｓ−ＧＷ２２０、およびＭＭＥ２３０間の接続は、Ｓ１タイプの接続２２４Ａ〜Ｂ、および２２６Ａ〜Ｂを介して確立され得る。Ｓ１インタフェースは、一般に公開されている３ＧＰＰ  Ｔｅｃｈｎｉｃａｌ  Ｓｐｅｃｉｆｉｃａｔｉｏｎ（ＴＳ）３６．４１０  ｖｅｒｓｉｏｎｓ  ８（２００８−１２−１１  ），９（２００９−１２−１０）ａｎｄ  １０（２０１１  −０３−２３）に説明されている。
【００１８】
ＥＰＣ２６０は、ほぼリアルタイムで無線ネットワークのポリシールールを決定するために用いられ得るポリシーおよびチャージングルール機能（ＰＣＲＦ）ノード２４４も含み得る。ＰＣＲＦノードは、理解されるように、加入者データベース、およびチャージングシステムなど他の特化された機能にアクセスし得る。
【００１９】
本願発明の一実施形態によると、図１に示されるようなＨｅｔＮｅｔでの配置のシナリオにおける頻繁なハンドオーバー手順を回避すべく、新たなハンドオーバー手順が開示される。新たなハンドオーバー手順において、ＵＥは、マクロノードのカバレッジエリア内のＬＰＮ間で移動する間に、マクロｅＮＢとの接続を維持し得る。各ＬＰＮは、送信ポイント／受信ポイントと呼ばれ得る。ＵＥが１つの送信ポイント／受信ポイント（つまり、ＬＰＮなどのｅＮＢ）から他の送信ポイント／受信ポイントへ移動する際に、ＵＥは、ＵＥ側において設定された、マクロノードとの無線リソースを維持し得る。このことによりＵＥは、マクロノードとの無線リソース制御（ＲＲＣ）接続など無線リソースを分解すること、および再構築することなく、マクロセルからピコセルへ、またはその逆へ移動することが可能となる。
【００２０】
一実施形態において、マクロノード１０２およびピコセル１０６、１０８は、オフロードのために用いられるピコセルなど、無線通信範囲内にあり得る。代替的に、ピコセル１１０は、追加的なカバレッジを提供するために用いられるピコセルなど、マクロノードの範囲の外側にあり得る。ピコセルがマクロノードの無線通信範囲の内側にあろうと外側にあろうと、ピコセルとマクロノードとは、Ｘ２インタフェースを形成すべく有線または光接続を介して接続され得る。加えて、ピコセルがマクロノードの無線通信範囲内にある場合、理解されるように、ピコセルとマクロノードとは、無線インタフェースを介して通信し得る。
【００２１】
ＵＥ１１２がマクロノード１０２のカバレッジエリア１０４からピコセル１０８のカバレッジエリア１１４へ移動する場合、ＵＥは、ピコセルからのダウンリンク信号による干渉に起因して、マクロノードからのダウンリンク信号を受信出来ないかもしれない。ＵＥが無線ネットワークとの接続を維持するために、ＵＥは典型的には、マクロノードからピコセルへハンドオーバーされるよう構成される。この処理はハンドオーバー（ＨＯ）と呼ばれる。
【００２２】
ハンドオーバーの間、物理チャネルの殆どが再構成される。なぜなら、物理チャネルは典型的には、自身が接続されるノード（つまり、マクロノードまたはＬＰＮ）に対して定義されるからである。各ノードはセルとも呼ばれ得る。セルに対する物理チャネルの関係は、セルの物理セルＩＤに基づくセル固有のやり方で定義されると見なされる。
【００２３】
例えば、ＵＥのためのスクランブルシーケンスは、物理セルＩＤに基づいて初期化され得る。ＵＥがマクロセルと通信する場合、物理チャネルは、マクロセルのセルＩＤによりスクランブルされる。ＵＥがピコセルと通信する場合、物理チャネルは、ピコセルのセルＩＤによりスクランブルされるよう構成される。この制限を克服するべく、セル固有のパラメータが、ＵＥ固有のパラメータで置き換えられ得る。ＵＥ固有のパラメータは、チャネル状態情報リファレンス信号（ＣＳＩ−ＲＳ）および復調リファレンス信号（ＤＭＲＳ）を含み得る。
【００２４】
例えば、物理ダウンリンク共有チャネル（ＰＤＳＣＨ）または拡張物理ダウンリンク制御チャネル（Ｅ−ＰＤＣＣＨ）のＣＳＩ−ＲＳまたはＤＭＲＳのスクランブルシーケンスは、特定のノードまたはセルのセルＩＤの代わりにＲＲＣ設定されたパラメータで初期化され得る。物理アップリンク共有チャネル（ＰＵＳＣＨ）、物理アップリンク制御チャネル（ＰＵＣＣＨ）またはサウンディングリファレンス信号（ＳＲＳ）のためにベースシーケンスおよび巡回シフトホッピング初期化を導出するべく、ＲＲＣ設定されたＵＥ固有のパラメータが、特定のノードの物理セルＩＤの代わりに用いられ得る。例えば、仮想セルアイデンティティが、ＰＵＳＣＨ、ＰＵＣＣＨ、またはＳＲＳのために設定され得る。同じ仮想セルアイデンティティが全てのアップリンクチャネルに適用され得、または異なる仮想セルアイデンティティが各チャネルに適用され得る。さらに、巡回シフトホッピング初期化のために、専用の巡回シフトホッピングアイデンティティがシグナリングされ得、物理セルアイデンティティの代わりに用いられ得る。
【００２５】
一旦全ての物理チャネルがセル固有のパラメータに関連付けられなくなれば、送信ポイントが１つのセルから他のセルに変更された場合であっても、ＵＥは、ハンドオーバーが生じた場合に無線リソースの再構成を実行する必要がない。ＵＥは継続して、マクロセルにより構成された無線リソースを用いることが出来る。言い換えると、ＵＥは継続して、マクロセルにより構成されたダウンリンクおよびアップリンクチャネルを介して、信号を送受信することが出来る。
【００２６】
リソース要素（ＲＥ）マッピングに対するセル固有のリファレンス信号（ＣＲＳ）がマクロセルとピコセルとの間で異なる場合、送信ポイント（ＴＰ）の変更の単純なインジケーションが、当該変更をＵＥに知らせるために用いられ得る。送信ポイントは、信号を送信するよう構成されたセルである。同様に受信ポイント（ＲＰ）は、信号を受信するよう構成されたセルである。ＴＰおよびＲＰは典型的には、同じセルにある。しかし、ＴＰとＲＰとが異なるセルに位置することもあり得る。この場合、ＵＥは、ＣＲＳリソース要素（ＲＥ）の周りにＰＤＳＣＨデータのレートマッチングを適用すべく、送信ポイントの変更が生じたことを知る必要があり得る。さもなくば、ＴＰの変更はＵＥにとってトランスペアレントであり得る。
【００２７】
例えば、ＵＥから見ると、本明細書においてアンカーサービングセルと呼ばれる、ＵＥが通信を行っている現在のサービングマクロノードは、ＴＰの変更に関わらず、継続してサービングセルであり得る。一実施形態において、ＵＥのアンカーサービングセルは、ＵＥがアンカーサービングセルのカバレッジエリアから出るように移動した場合であっても変更しない。
【００２８】
図３は、アンカーサービングセルから非アンカーセルへのＴＰ変更を実装すべくＨｅｔＮｅｔ内で通信される情報の１つの例示的な図示を提供する。ＴＰ変更を実装すべく以下の段階が実行され得る。
【００２９】
測定制御  一実施形態によると、マクロセルなどアンカーサービングセルは、測定報告のうち１つまたはその組み合わせに基づきＴＰ変更が必要であるか否かを決定するよう構成され得る。アンカーサービングセルは、所望されるタイプの測定をＵＥに示し得、および測定制御メッセージ３０２をＵＥへ送信し得る。この期間において、ＵＥは依然として、パケットデータをアンカーサービングセルへ通信し得る。アンカーサービングセルはその後、図３に示されるようにパケットデータをサービングゲートウェイへ転送し得る。
【００３０】
１つの測定は、無線リソース管理（ＲＲＭ）測定を説明する３ＧＰＰ  ＬＴＥ  Ｒｅｌ．８仕様書に説明されるように実行され得るＣＲＳベースのＲＲＭ測定を含み得る。アンカーサービングセルは、ターゲットセルを含む近隣のセルを測定するようＵＥを設定し得る。本明細書において用いられる場合、ターゲットセルは、ＵＥが位置する、またはＵＥが向かって移動しているカバレッジエリアに関連するマクロノードまたはＬＰＮである。ＵＥがターゲットセルに向かって移動する際、典型的なハンドオーバーにおいて生じるように、電力ベースの測定は増加し、アンカーサービングセルに関してＵＥが得る電力ベースの測定値は減少する。
【００３１】
ＣＳＩ−ＲＳベースのＲＲＭ測定も実行され得る。例えば、ＵＥは、各ＴＰから送信されるＣＳＩ−ＲＳを測定し得る。この場合、どのＣＳＩ−ＲＳまたはどの近隣のセルのＣＳＩ−ＲＳが測定されるべきかをＵＥに対して知らせるために、新たなセットのセルが定義され得る。実行され得る他の測定には、物理アップリンク制御チャネル（ＰＵＣＣＨ）におけるＣＳＩフィードバックが含まれ得る。アンカーサービングセルなどソースセルは、ターゲットセルまたは近隣のセルからなるセットから送信されるＣＳＩ−ＲＳポートからなるセットのＣＳＩフィードバックを送信するようＵＥを設定し得る。ＣＳＩフィードバックは、セル固有である代わりにＵＥ固有であり得る。
【００３２】
測定報告  ＵＥは、ＵＬ割り当てによりＵＥがスケジューリングされた後に、１または複数の測定報告３０４をアンカーサービングセルへ送信し得る。測定の報告は、予め定められた頻度で通信され得、サービングセルからトリガが受信された場合に通信され得、または報告条件が満たされた場合に通信され得る。
【００３３】
ＴＰ変更決定  ＵＥがターゲットＴＰと呼ばれる非アンカーセルのカバレッジエリアに入る場合、ＴＰ変更決定がアンカーサービングセルにより実装され得る。アンカーサービングセルは、ＴＰ変更要求３０８をターゲットＴＰへ送信し得る。この要求で、アンカーサービングセルは、ターゲットＴＰにおいてＴＰ変更に備えるべく選択された情報を渡す。選択された情報は、物理チャネルのために用いられるＵＥ固有のアイデンティティを含み得る。物理チャネルのためのＵＥ無線リソース情報が既にＴＰ変更のための可能性のあるセルによって共有されている場合、ＴＰ変更インジケーションのみがターゲットＴＰへ送信され得る。アンカーサービングセルは、ＣＳＩ−ＲＳ  ＲＲＭ測定のための可能性のあるセルを決定した場合に、ＴＰ変更の可能性のあるセルを決定し得る。その後ＴＰ変更要求肯定応答が、ターゲットＴＰからアンカーサービングセルへ送信され得る。
【００３４】
ＴＰ変更インジケーション  ＴＰ変更要求肯定応答メッセージがアンカーサービングセルにより受信された後に、ＴＰ変更インジケーションメッセージ３１０が、アンカーサービングセルからＵＥへ送信され得る。一実施形態において、ＴＰ変更インジケーションメッセージは、ダウンリンク制御情報（ＤＣＩ）と、媒体アクセス制御（ＭＡＣ）制御要素（ＣＥ）と、ＲＲＣシグナリングとのうち少なくとも１つを介して、ＵＥへ通信され得る。
【００３５】
アンカーサービングセルからＵＥへＴＰ変更インジケーションメッセージを通信するためにＤＣＩが用いられる場合、ＴＰインジケータの存在はＲＲＣシグナリングにより、必要とされる場合にのみＴＰインジケータを含むように設定され得る。この場合、アンカーサービングセル（つまり、ソースＴＰ）とターゲットＴＰとのうちいずれかが、ＴＰ変更がいつ適用されるかに応じて、ＴＰまたは受信ポイント（ＲＰ）変更インジケータを送信し得る。例えば、インジケータが受信された際にＴＰがサブフレームから変更された場合、ＴＰ変更インジケータはターゲットＴＰから送信される。ＴＰ変更インジケータが受信された後にＴＰが変更された場合、ＴＰ変更インジケータはソースＴＰから送信され得る。
【００３６】
アンカーサービングセルからＵＥへのＴＰ変更インジケーションメッセージの通信のためにＲＲＣシグナリングが用いられる場合、ＴＰ変更インジケーションメッセージは、ＲＲＣシグナリングを用いてシグナリングされ得るＴＰ変更インジケータを含むＲＲＣ接続再設定メッセージを備え得る。ＲＲＣシグナリングを用いた再設定の正確なアクティブ化時間が定義されていないので、ＴＰの変更のタイミングは、ＵＥ  ＲＲＣ処理時間に応じて異なり得る。一実施形態において、ＴＰ変更インジケータを含むＲＲＣ接続再設定メッセージのためのパケットデータ送信をいつスケジューリングするか決定する際に、ＵＥ  ＲＲＣ処理時間が考慮に入れられ得る。ＴＰが変更されるＸ個のサブフレーム前に、ｅＮＢは、ＴＰ変更インジケーションメッセージを送信し得る。ここで、Ｘ個のサブフレームは、ＵＥ  ＲＲＣ処理時間、および、例えばＨＡＲＱ処理時間である他の要因を考慮に入れて定義される。
【００３７】
アンカーサービングセルからＵＥへのＴＰ変更インジケーションメッセージの通信のために媒体アクセス制御（ＭＡＣ）制御要素（ＣＥ）が用いられる場合、ＴＰ変更インジケータがＭＡＣ  ＣＥに含められ得る。一実施形態において、新たなＭＡＣ  ＣＥは、新たなロジックチャネルアイデンティティ（ＬＣＩＤ）により定義され得る。  代替的に、アクティブ化／非アクティブ化ＭＡＣ  ＣＥが、キャリアアグリゲーションのために用いられない場合、再利用され得る。
【００３８】
ＴＰが変更された後、ＵＥとターゲットＴＰとの間でパケットデータ送信３１２および受信３１４が生じ得る。アップリンク通信において、ターゲットＴＰは受信されたパケットをアンカーサービングセルへ転送３１６し得、アンカーサービングセルは、受信されたパケットをサービングゲートウェイ（Ｓ−ＧＷ）へ配信し得る。ダウンリンク通信において、アンカーサービングセルはバッファ処理されたパケットをターゲットＴＰへ配信し、ターゲットＴＰは、ＵＥがターゲットＴＰからの信号を受信する用意が出来るまで、アンカーサービングセルからのパケットをバッファ処理し得る。ＵＥがターゲットＴＰから信号を受信する準備が出来るとターゲットＴＰは、無線インタフェースを介してＵＥへその信号を送信する。
【００３９】
ＵＥ更新  ＴＰが変更された後、ＵＥは、ＰＤＳＣＨデコード、アップリンク同期化、無線リンクモニタリング、およびアップリンク電力制御、ダウンリンク同期化、並びにＭＩＢ／ＳＩＢに関して更新を実行する必要があり得る。実行する必要があり得る更新は、続く段落においてより完全に説明される。
【００４０】
ＵＥは典型的には、ＴＰが変更された後に、ターゲットＴＰ情報に基づいてＰＤＳＣＨデコードを実行する。例えば、ＰＤＳＣＨまたはｅＰＤＣＣＨ設定は同じであるが、ＣＲＳがセル固有であり位置が各セルで異なり得るので、ＣＲＳリソース要素（ＲＥ）の位置は新たなＴＰにより変更される。したがって、ＰＤＳＣＨまたはｅＰＤＣＣＨがＣＲＳのために用いられない残りのＲＥで送信されるので、ＰＤＳＣＨ  ＲＥのために利用可能なＲＥは、新たなＴＰのＣＲＳ  ＲＥ位置に基づいて変更され得る。ＣＲＳが、３ＧＰＰ  ＬＴＥ  Ｒｅｌ−１１仕様書に開示される新たなキャリアタイプなどサービングセルで送信されない場合、この処理は必要とされない。
【００４１】
アップリンク同期化に関して、受信ポイント（ＲＰ）は、ＴＰと共に変更され得る。ＲＰが変更されれば場合、ＵＥは、ターゲットＲＰと同期され得る。ＴＰ変更が起こる前にターゲットＲＰが既にアップリンクチャネルをＵＥから受信する場合、アップリンク同期化は必要ではないかもしれない。例えば、ＵＥから新たなＲＰへの時間整合命令の送信が、アップリンクにおけるデータの通信のためにＵＥをＲＰと同期させるのに十分であり得る。ＵＥから新たなＲＰへのＵＬ送信におけるタイミングが、時間整合命令が処理出来る量よりも大きくずれている場合、ＵＥは、アップリンク同期化のために物理ランダムアクセスチャネル（ＰＲＡＣＨ）プリアンブルを送信するよう構成され得る。ランダムアクセス手順が完了するまで、ＵＥはアップリンク送信を中断し得、または、ＵＥは、サービングセルのタイミングに基づいてアップリンクを送信し得る。代替的に、アンカーサービングセルまたはターゲットＲＰが適当なタイミングアドバンス値を知っている場合、ＰＲＡＣＨプリアンブルを送信することなくタイミングアドバンス値がシグナリングされ得る。このアプローチに関する１つの例示的なシナリオは、ターゲットＴＰのセルサイズが小さく、ゼロであるタイミングアドバンス値が必要とされる場合である。
【００４２】
無線リンクモニタリングおよびアップリンク電力制御がアンカーサービングセルのＣＲＳに基づく場合、ＵＥは、３ＧＰＰ  ＬＴＥ仕様書Ｒｅｌ．１０に定義されるように、無線リンクの失敗を経験し、高い送信電力を用いる可能性が高い。この課題を回避すべく、無線リンクモニタリング（ＲＬＭ）およびアップリンク電力制御のリファレンスＲＳは、ターゲットＴＰのＣＳＩ−ＲＳへ変更され得る。ターゲットＴＰに関連するＣＲＳ情報をＵＥが知っている場合、ターゲットＴＰのＣＲＳは、ＲＬＭおよびアップリンク電力制御のために用いられ得る。
【００４３】
ダウンリンク同期化に関して、ＵＥがターゲットＴＰのカバレッジ内に位置する場合、干渉に起因して、アンカーサービングセルからＣＲＳを受信するのは難しくなり得る。１つの可能のある課題は、低いＣＲＳ信号品質が同期化の性能も低下させ得るということである。ＴＰが変更される場合、ＵＥは、ターゲットＴＰのＣＳＩ−ＲＳまたはＣＲＳと共に同期リファレンスも変更し得る。
【００４４】
ＲＲＣ層が依然としてアンカーサービングセルにある場合、ＵＥは依然として、マスター情報ブロック（ＭＩＢ）およびシステム情報ブロック（ＳＩＢ）情報をアンカーサービングセルのみから受信する必要があり得る。この場合、ＵＥは専用のＲＲＣシグナリングによりＭＩＢ／ＳＩＢの更新された情報を受信し得る。他の実施形態において、ＲＲＣ層がターゲットＴＰの非アンカーセルに移動された場合、ＵＥは、ターゲットＴＰのＭＩＢ／ＳＩＢ情報を受信し得る。ＲＲＣ層がターゲットＴＰの非アンカーセルに移動された場合、ＵＥは、ターゲットＴＰのＭＩＢ／ＳＩＢ情報を直接受信し得、または、ターゲットＴＰは、専用のＲＲＣシグナリングを用いることによりＵＥへＭＩＢ／ＳＩＢ情報を送信し得る。
【００４５】
アンカーサービングセルは、典型的にはＵＥを最良のＤＬおよびＵＬセルと接続するよう構成され得る。図３に示されるＴＰ変更フローにおいて、最良のダウンリンクセルおよび最良のアップリンクセルが同じセルに位置するものと仮定されている。よって、ＴＰとＲＰとが典型的には、同じセルに関連し得る。  しかし、ＴＰとＲＰとが異なるセルに関連することもあり得る。この場合、ＴＰおよびＲＰの変更が異なる非アンカーセルに対してトリガされ、ＵＥは、ＴＰ変更とＲＰ変更インジケーションとで別々にシグナリングされる。しかし、理解されるように処理は、図３に示され先行する段落に説明されるフローと同様のままである。
【００４６】
ＵＥが非アンカーセル（ソースＴＰ）からアンカーサービングセル（ターゲットＴＰ）へ移動してＴＰ変更を生じさせる場合、アンカーサービングセルから非アンカーセルへＵＥが移動する図３において示される処理が依然として実行され得る。しかし、非アンカーセルからアンカーサービングセルへ移動する際にＵＥのＲＲＣ層接続が依然としてアンカーサービングセルにある場合、測定制御／ＴＰ変更決定はアンカーサービングセルにおいてなされ得る。ＲＲＣ層接続のＵＥがソースＴＰの非アンカーセルにある場合、測定制御／ＴＰ変更は、ソースＴＰの非アンカーセルにより実行され得る。非アンカーセルからアンカーサービングセルへのＴＰ変更が生じる場合、既存のＵプレーンおよびＣプレーントンネルは、ＴＰ変更が完了した後に解放され得る。このことは続く段落においてより完全に説明される。
【００４７】
図４は、ソースＴＰがアンカーサービングセルに位置しない場合のＴＰ変更フローの例示的な図示を提供する。このことが生じる場合、図４に示されるように、測定制御はアンカーサービングセルにより構成され、ソースＴＰを通じて送信され得る。アンカーサービングセルが測定報告を受信した後に、アンカーサービングセルは、ＴＰ変更が所望されるか否かを、ＣＳＩ−ＲＳベースのＲＲＭ報告、Ｒｅｆｅｒｅｎｃｅ  Ｓｉｇｎａｌ  Ｒｅｃｅｉｖｅｄ  Ｐｏｗｅｒ（ＲＳＲＰ）測定、Ｒｅｆｅｒｅｎｃｅ  Ｓｉｇｎａｌ  Ｒｅｃｅｉｖｅｄ  Ｑｕａｌｉｔｙ（ＲＳＲＱ）測定、およびその他など受信した測定に基づき決定し得る。
【００４８】
ＴＰが変更された場合、アンカーサービングセルは、ＴＰ変更要求をソースＴＰへ送信し得る。ＴＰ変更要求において、アンカーサービングセルはターゲットＴＰを示し得る。ＴＰ変更要求はその後、アンカーサービングセルからソースＴＰへ送信される。ソースＴＰはその後、ＴＰ変更要求をターゲットＴＰへ転送する。アンカーサービングセルがＴＰ変更要求をソースＴＰとターゲットＴＰとの両方へ送信することもあり得る。一旦、ＴＰ変更要求がソースＴＰおよびターゲットＴＰへ送信されれば、残りのＴＰ変更手順は図３に示され、先行する段落において説明されたのと実質的に同じである。
【００４９】
図４に示されるフローにおいては、ＲＲＣ層はアンカーサービングセルに位置するものと仮定されている。ＲＲＣ層がソースＴＰに位置する場合、測定制御、ＴＰ変更決定、およびＴＰ変更要求は、ソースＴＰによりなされ得る。
【００５０】
図３および図４に示されるフローのいずれかにおいて、ＲＲＣ接続を維持しつつＵＥが１つのＴＰから他のＴＰへと移動する能力は、マクロセルおよびスモールセルが同じ周波数層で用いられる場合において、または、マクロセルおよび低電力ノードが異なる周波数層で用いられる場合において適用され得る。後者の場合、ＴＰ変更インジケーションは、ＵＥが前もって無線周波数信号をターゲットＴＰの周波数にいつ切り替えるべきかを知るように、ソースＴＰを含むアンカーｅＮＢにより送信され得る。ソースＴＰからＴＰ変更インジケーションを受信した後にターゲットＴＰに切り替える暗示的または明示的な動作時間が用いられ得る。
【００５１】
本願発明の実施形態は、キャリアアグリゲーションが用いられる場合にも適用され得る。例えば、マクロセルと低電力ノードとの両方がキャリアｆ１、ｆ２を用いる場合、キャリアアグリゲーションが用いられ得る。ＵＥのプライマリサービングセル（Ｐｃｅｌｌ）は、アンカーマクロｅＮＢのキャリアｆ１またはｆ２の一方に対応する。ＵＥのセカンダリサービングセル（ＳＣｅｌｌ）は、アンカーマクロｅＮＢの他方のキャリアに対応する。
【００５２】
本願発明の実施形態は、マクロセルと低電力ノードとの両方がキャリアｆ１、ｆ２を採用し、低電力ノードのみがキャリアｆ２を採用する場合にも適用され得る。本実施形態において、ＵＥのプライマリサービングセル（Ｐｃｅｌｌ）は、アンカーマクロｅＮＢのキャリアｆ１、ｆ２の一方に対応する。ＵＥのセカンダリサービングセル（ＳＣｅｌｌ）は、ＵＥのＴＰとして指定され得る、低電力ノードのキャリアｆ１、ｆ２の他方に対応する。
【００５３】
ネットワークアーキテクチャ  Ｒｅｌ．８、９、または１０に基づく典型的な３ＧＰＰ  ＬＴＥシステムにおいて、ハンドオーバーが完了した場合、Ｓ−ＧＷは、ダウンリンクデータパスをターゲットセルに切り替え、サービングセルへのデータパスを解放するよう構成される。例えば、図５ａに示されるように、ＵＥがアンカー／ソースセルのカバレッジに位置する場合、ＵＥは、（フロー１とマーク付けされた）ソースセルを通じてＭＭＥ／Ｓ−ＧＷに接続される。ＵＥが非アンカー／ターゲットセルにハンドオーバーされた場合、ＵＥは、（フロー２とマーク付けされた）ターゲットセルを通じてＭＭＥ／Ｓ−ＧＷに接続される。
【００５４】
しかし、ソースｅＮＢを介したＵＥとＭＭＥ／ＳＧＷとの間の接続を切断することなくＴＰ変更を実行するために、新たなタイプのアーキテクチャが用いられ得る。本願発明の一実施形態によると、アンカー／ソースｅＮＢへのＵＥの接続は、ＵＥが、関連するＴＰを含む非アンカー／ターゲットｅＮＢのカバレッジに入った場合であっても維持され得る。図５ａにおいてフロー３により示されるように、ＵＥの無線リソース接続が非アンカー／ターゲットｅＮＢによりサービスされている間に、ＵＥはアンカー／ソースｅＮＢを通じてＭＭＥ／Ｓ−ＧＷに接続され得る。
【００５５】
アップリンク接続が形成される場合、非アンカー／ターゲットｅＮＢは、受信したアップリンクデータをＸ２インタフェースを介してアンカー／ソースｅＮＢへ転送し、アンカー／ソースｅＮＢは、データをＳ−ＧＷへ配信する。ダウンリンクのために、アンカー／ソースｅＮＢは、Ｘ２インタフェースを介してデータパケットをターゲットＴＰへ配信するよう構成される。
【００５６】
ＴＰ変更要求がアンカー／ソースｅＮＢから、選択されたＴＰをホストする非アンカー／ターゲットｅＮＢへ送信される場合、アンカーサービングセルとターゲットＴＰとの間でＵプレーントンネルが確立され得る。各データ無線ベアラー（ＤＲＢ）に関して、アップリンクデータ転送のために１つのＵプレーントンネルが用いられ、ダウンリンクデータ転送のために他の１つが用いられる。典型的なハンドオーバー手順とは異なり、このＵプレーントンネルがアップリンクデータを送信するべくターゲットＴＰのために用いられ、ＴＰ変更の後にダウンリンクデータをターゲットＴＰへ送信するべくアンカーサービングセルのために用いられる。加えて、アンカー／ソースｅＮＢと非アンカー／ターゲットｅＮＢとの間でアップリンクおよびダウンリンクのために別々に、各シグナリング無線ベアラー（ＳＲＢ）に関してＣプレーンデータを転送するためにＣプレーントンネルも確立される。
【００５７】
図５ｂは、ターゲット送信ポイント５０３における異種ネットワーク（ＨｅｔＮｅｔ）ハンドオーバーデバイス５００のブロック図を示す。ターゲット送信ポイントは、図５ａの非アンカーｅＮＢ／ターゲットｅＮＢに存在し得る。デバイスは、ユーザ機器（ＵＥ）５０６のためにアンカーサービングセル５０４からＴＰ変更要求を受信するよう構成された送信ポイント（ＴＰ）変更モジュール５０２を備え得る。アンカーサービングセルとは、図５ａのアンカーｅＮＢ／ソースｅＮＢと同義語である。
【００５８】
デバイス５００はさらに、アンカーサービングセル５０４から、コアネットワーク（ＣＮ）５１０から送信されるダウンリンク情報を受信するよう構成されるダウンリンクデータ転送モジュール５０８を備え得る。一実施形態において、コアネットワークは、モバイル制御エンティティ（ＭＭＥ）およびサービングゲートウェイ（Ｓ−ＧＷ）５１２を含む進化型パケットコア（ＥＰＣ）を備え得る。
【００５９】
デバイス５００は、ＵＥとターゲットセルとの間の無線インタフェース５１５を介して、ダウンリンク情報をＵＥ５０６へ送信し、ＵＥからアップリンク情報を受信するよう構成された無線インタフェースモジュール５１４も含み得る。デバイスは、ターゲットＴＰを介したＣＮとの通信をＵＥが行えるようにするべく、ＣＮ５１０への通信のためにアップリンク情報をアンカーサービングセル５０４へ送信するよう構成されたアップリンク転送モジュール５１６も含み得る。
【００６０】
ＨｅｔＮｅｔハンドオーバーデバイス５００はさらに、アンカーサービングセルからターゲットセルへ送信されたパケットをバッファ処理するよう構成されたバッファモジュール５１８を備え得る。バッファモジュールは、典型的にはターゲットＴＰがダウンリンクデータをＵＥへ送信する前に生じる中間フェーズである。
【００６１】
一実施形態において、ダウンリンクデータ転送モジュール５０８はさらに、Ｘ２インタフェース５２０介してアンカーサービングセル５０４からダウンリンク情報を受信するよう構成される。ダウンリンク情報は、Ｓ１接続５２２を介して、モバイル制御エンティティ（ＭＭＥ）５１２とサービングゲートウェイ（Ｓ−ＧＷ）５１３とのうち少なくとも１つからアンカーサービングセルへ送信され得る。
【００６２】
プロトコルアーキテクチャ  図６ａおよび６ｂは、先行する段落において説明されたＴＰ変更処理を提供すべく、３ＧＰＰ  ＬＴＥ仕様を介して通信を行うよう構成された無線システムを可能するために用いられ得るプロトコルの３つの例を提供する。一実施形態において、アンカーサービングセルを通るＳ１パスは、ＴＰ変更に関わらず維持され得る。このことにより、より頻繁かつフレキシブルなＴＰ変更が可能となり得る。
【００６３】
図６ａに示される第１の例示的な実施形態において、アンカーサービングセルは、パケットデータコンバージェンスプロトコル（ＰＤＣＰ）およびＲＲＣ層をホストするよう構成され得る。制御プレーンは、非アクセス層（ＮＡＳ）からの通信を提供し得るＲＲＣ層を含み得、ＲＲＣ通信は、シグナリング無線ベアラー（ＳＲＢ）により伝達される。ユーザデータプレーンは、アンカーサービングセルにおいてデータ無線ベアラー（ＤＲＢ）を介してＩＰパケットを通信し得る。データは、ＲＯＨＣを用いて圧縮され得、図６ａに示されるように、セキュリティが適用され得る。ソースＴＰを含むアンカーｅＮＢとターゲットＴＰを含む非アンカーｅＮＢとの間でＰＤＣＰプロトコルデータユニット（ＰＤＵ）を転送すべく、各無線ベアラーに関してトンネルが確立される。例えば、本例においてＰＤＣＰ  ＰＤＵとして、制御データおよびユーザデータをそれぞれ伝達すべく、アンカーサービングセルとターゲットＴＰとの間でＳＲＢトンネルおよびＤＲＢトンネルが形成され得る。
【００６４】
ターゲットＴＰは、ＳＲＢトンネルおよびＤＲＢトンネルを介して情報を受信する無線リンク制御（ＲＬＣ）層を含み得る。ＭＡＣおよび物理（ＰＨＹ）層もターゲットＴＰに位置し得る。セキュリティ機能が依然としてアンカーサービングセルにあるので、セキュリティキーを変更し暗号化を維持する必要がない。
【００６５】
他の実施形態が図５ｂに示されている。本例において、全てのアクセス層（ＡＳ）プロトコルは、ターゲットＴＰを含む非アンカーｅＮＢに位置している。Ｓ１制御およびデータパスは、ソースＴＰを含むアンカーｅＮＢを通じて接続される。このことをサポートすべく、制御プレーン（Ｃプレーン）トンネルおよびユーザプレーン（Ｕプレーン）トンネルが各無線ベアラーに関して確立される。セキュリティ機能がターゲットＴＰに位置するので、セキュリティキーが、ハンドオーバーにおいてサポートされるように、ターゲットＴＰ情報に基づいて新たに導出される必要があり得る。代替的に、ターゲットＴＰが単純にサービングセルパラメータを用いてセキュリティキーを導出するように、アンカーサービングセルはセキュリティキー関連パラメータをターゲットＴＰに渡し得る。
【００６６】
他の実施形態において、異なるアプローチがＤＲＢおよびＳＲＢに関して適用され得る。例えば、ＤＲＢに関してアプローチ１が適用され得、ＳＲＢに関してアプローチ２が適用され得る。代替的に、ＳＲＢに関してアプローチ１が適用され、ＤＲＢに関してアプローチ２が適用される反対の構成も可能である。
【００６７】
他の例において、ＵＥがアイドルモードのピコセルに存在し、したがって、ＲＲＣ接続が実際のコールのために接続モードにあるピコセルと確立される場合、頻繁なハンドオーバーを回避するために用いられ得る３つの例示的なアプローチが提供される。第１のアプローチにおいて、ＵＥがピコセルとのＲＲＣ接続確立を実行する場合にピコセルは、アンカーサービングセルとして指定され得る。この場合、前述したようにＴＰ変更は、アンカーｅＮＢとして動作しているピコセルに関して適用され得る。
【００６８】
他のアプローチにおいて、その上にピコセルが重なるマクロセルは常に、ＵＥのアンカーサービングセルとして指定され得る。ＵＥがピコセルにおいてＲＲＣ接続確立を実行する場合、ピコセルは、アンカーマクロセルのものに対応する、ＵＥの無線リソース設定およびセキュリティキー関連パラメータを設定し得る。ピコセルはマクロセルに、マクロセルを通じてＭＭＥ／Ｓ−ＧＷへの接続を確立するよう要求し得る。マクロセルがＳ１接続をこのＵＥのために確立する場合、マクロセルはこのＵＥに関する無線リソース設定およびセキュリティキー関連パラメータを提供し得る。ＣプレーントンネルおよびＵプレーントンネルが、図６ｂに示されるようにアンカーマクロセルとピコセルとの間で確立され得る。代替的に、ＵＥは、セル選択／受信の間、ピコセルに存在することを回避し得る。
【００６９】
第３のアプローチにおいて、ＲＲＣ接続確立の後に、ピコセルはＵＥのアンカーサービングセルとして指定され得る。ピコセルは、ＵＥのマクロセルへの「擬似ハンドオーバー」を実行するよう構成され得る。その後、マクロセルはアンカーサービングセルとなる。しかし、ピコセルはＵＥのソースＴＰのままであり得る。
【００７０】
他の実施形態において、図７のフローチャートに示されるように、異種無線ネットワーク（ＨｅｔＮｅｔ）においてハンドオーバーを実行するための方法７００が開示される。方法は、ブロック７１０に示されるように、複数のセルに関してユーザ機器（ＵＥ）により作成されたチャネル測定報告をＨｅｔＮｅｔのアンカーサービングセルにおいて受信する処理が含まれる。複数のセルは、少なくとも１つのマクロセルおよび少なくとも１つの低電力ノードを含み得る。
【００７１】
方法７００の追加的な処理は、ＵＥに関するチャネル測定報告に部分的に基づく送信ポイント（ＴＰ）変更要求をアンカーサービングセルからターゲット送信ポイントへ送信する段階を含む。ここでターゲット送信ポイントは、ブロック７２０に示されるように複数のセルのうち１つに位置する。チャネル測定報告に加えて情報も、ＴＰ変更要求において通信される送信ポイントを特定するためにも用いられ得る。さらなる処理は、ブロック７３０に示されるように、無線インタフェース介してＵＥが通信を行うＴＰの変更を示すべく、アンカーサービングセルからＵＥへＴＰ変更インジケータを送信する段階を備える。
【００７２】
方法７００はさらに、アンカーサービングセルにおいて、ＵＥからターゲットＴＰを介してアップリンクパケットを受信する段階を備える。アップリンクパケットは、無線インタフェースを介してＵＥからターゲットＴＰへ送信され得、ターゲットＴＰからアンカーサービングセルへ転送され得る。その後、ダウンリンクパケットは、無線インタフェースを介したＵＥへの送信のために、アンカーサービングセルからターゲットＴＰへ送信され得る。
【００７３】
チャネル測定報告を受信する処理はさらに、アンカーサービングセルにより構成される無線リソース制御（ＲＲＣ）層を継続して使用しつつ、ＵＥのためにアンカーサービングセルからターゲットＴＰへのハンドオーバーが生じることを可能とすべく、チャネル状態情報リファレンス信号（ＣＳＩ−ＲＳ）を用いてＵＥによるチャネル測定報告を受信する段階を備え得る。
【００７４】
方法７００は追加的に、ダウンリンク制御情報（ＤＣＩ）と、無線リソース制御（ＲＲＣ）シグナリングと、媒体アクセス制御（ＭＡＣ）制御要素（ＣＥ）とのうち１つを用いて、アンカーサービングセルからＵＥへＴＰ変更インジケータを送信する段階と、ＵＥとＴＰターゲットとの間の無線インタフェースにおいて測定されたチャネル状態情報（ＣＳＩ）リファレンス信号（ＲＳ）情報に基づいて、アンカーサービングセルにおいて無線リンクモニタリング情報およびアップリンク電力制御情報を受信する段階とを備え得る。
【００７５】
方法７００は、ターゲットＴＰを介して、アンカーサービングセルからＵＥへマスター情報ブロック（ＭＩＢ）とシステム情報ブロック（ＳＩＢ）とのうち少なくとも１つを送信する段階も含み得る。例えば、ＭＩＢ／ＳＩＢ情報は、ターゲットＴＰへのＸ２接続を介してアンカーセルから送信され得る。ＲＲＣ層がターゲットＴＰに位置する場合、ＵＥは、ターゲットＴＰのＭＩＢ／ＳＩＢをターゲットＴＰから直接受信し得る。
【００７６】
一実施形態において、ＵＥは、ＨｅｔＮｅｔのアンカーサービングセルにおいて、複数のセルに関してユーザ機器（ＵＥ）により作成されたチャネル測定報告を受信する段階、チャネル測定報告に部分的に基づき、ＴＰの変更が実行されることを識別する段階、および、ソースＴＰがＴＰ変更要求をターゲットＴＰへ転送することを可能とするようターゲットＴＰに指示するＴＰ変更要求をアンカーサービングセルからソースＴＰへ送信する段階により、ソースＴＰからターゲットＴＰへ変更し得る。
【００７７】
方法７００は追加的に、アンカーサービングセルと、モバイル制御エンティティ（ＭＭＥ）およびサービングゲートウェイ（Ｓ−ＧＷ）のうち少なくとも１つとの間のｓ１データ接続を形成する段階、およびＵＥとのＵｕ接続を有するターゲットＴＰを介して、ＭＭＥおよびＳ−ＧＷのうち１つとＵＥとの間のデータ通信を可能とすべく、アンカーサービングセルとターゲットＴＰとの間のＸ２インタフェースを形成する段階により、アンカーサービングセルへのアップリンク／ダウンリンクデータパスを形成する段階を含み得る。
【００７８】
方法７００は、アンカーサービングセルとターゲットＴＰとの間のアップリンクデータ転送およびダウンリンクデータ転送を可能とすべく、アンカーサービングセルとターゲットＴＰとの間のＵプレーントンネルを形成する段階も含み得る。アンカーサービングセルとターゲットセルとの間のダウンリンクおよびアップリンクのためにシグナリング無線ベアラー（ＳＲＢ）通信を可能とすべく、ｃプレーントンネルが、アンカーサービングセルとターゲットＴＰとの間に形成され得る。
【００７９】
図８は、ユーザ機器（ＵＥ）、移動局（ＭＳ）、モバイル無線デバイス、モバイル通信デバイス、タブレット、ハンドセット、または他のタイプのモバイル無線デバイスなどモバイルデバイスの例示的な図示を提供する。モバイルデバイスは、基地局（ＢＳ）、進化型ノードＢ（ｅＮＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、または他のタイプの無線広域ネットワーク（ＷＷＡＮ）アクセスポイントなどノード、マクロノード、低電力ノード（ＬＰＮ）または送信局と通信するよう構成された１または複数のアンテナを含み得る。モバイルデバイスは、３ＧＰＰ  ＬＴＥ、ＷｉＭＡＸ（登録商標）、Ｈｉｇｈ  Ｓｐｅｅｄ  Ｐａｃｋｅｔ  Ａｃｃｅｓｓ（ＨＳＰＡ）、Ｂｌｕｅｔｏｏｔｈ（登録商標）、およびＷｉＦｉを含む少なくとも１つの無線通信規格を用いて通信するよう構成され得る。モバイルデバイスは、各無線通信規格のために別個のアンテナを、または複数の無線通信規格のために共有されるアンテナを用いて通信し得る。モバイルデバイスは、無線ローカルエリアネットワーク（ＷＬＡＮ）、無線パーソナルエリアネットワーク（ＷＰＡＮ），および／またはＷＷＡＮにおいて通信し得る。
【００８０】
図８は、マイク、および、モバイルデバイスからの音声入出力のために用いられ得る１または複数のスピーカの図示も提供する。ディスプレイ画面は、液晶ディスプレイ（ＬＣＤ）スクリーン、または、有機発光ダイオード（ＯＬＥＤ）ディスプレイなど他のタイプのディスプレイ画面であり得る。ディスプレイ画面は、タッチスクリーンとして構成され得る。タッチスクリーンは、容量式、抵抗性、または他のタイプのタッチスクリーン技術を用い得る。アプリケーションプロセッサおよびグラフィックプロセッサは、処理およびディスプレイ機能を提供すべく、内部メモリに結合され得る。ユーザがデータ入出力を行えるように、不揮発性メモリポートも用いられ得る。不揮発性メモリポートは、モバイルデバイスのメモリ性能を拡張するためにも用いられ得る。追加的なユーザ入力を提供すべく、キーボードがモバイルデバイスに統合され得、またはモバイルデバイスに無線接続され得る。タッチスクリーンを用いて仮想キーボードも提供され得る。
【００８１】
一実施形態において、ＵＥは、異種無線ネットワーク（ＨｅｔＮｅｔ）においてハンドオーバーを実行するよう動作可能であり得る。ＵＥは、ＵＥとの無線インタフェースのためのターゲット送信ポイント（ＴＰ）を示す送信ポイント変更インジケータを、アンカーサービングセルからＵＥにおいて受信し、ターゲットＴＰがコアネットワークへの通信のためにアップリンクデータをアンカーサービングセルへ転送することを可能とするようＵＥからターゲットＴＰへアップリンクデータを送信し、アンカーサービングセルを介してコアネットワークからターゲットＴＰへ送信されるダウンリンクデータを、ＵＥにおいてＴＰから受信するよう構成された回路を有し得る。
【００８２】
ＵＥの回路はさらに、ダウンリンク制御情報（ＤＣＩ）と、無線リソース制御（ＲＲＣ）シグナリングと、媒体アクセス制御（ＭＡＣ）制御要素（ＣＥ）とのうち１つを用いて、ＵＥにおいて送信ポイント変更インジケータを受信し、キャリア固有リソース信号（ＣＲＳ）がターゲットＴＰにより送信される場合に、ターゲットＴＰに関するＣＲＳリソース要素（ＲＥ）の位置を特定し、ＣＲＳにおける情報に基づき、物理ダウンリンク共有チャネル（ＰＤＳＣＨ）デコードを実行するよう構成され得る。
【００８３】
ＵＥの回路は、ターゲットＴＰがアンカーサービングセルとは異なる受信ポイント（ＲＰ）を含む場合に、ターゲットＴＰとのアップリンク同期化を実行すべく、ターゲットＴＰへ物理ランダムアクセスチャネル（ＰＲＡＣＨ）プリアンブルを送信するようにも構成され得る。回路は、ターゲットＴＰのチャネル状態情報リファレンス信号（ＣＳＩ−ＲＳ）を用いて無線リンクモニタリングおよびアップリンク電力制御を実行し、ターゲットＴＰのＣＳＩ−ＲＳを用いて同期リファレンスを変更するようにも構成され得る。
【００８４】
ＵＥは、アンカーサービングセルにより構成される無線リソース制御（ＲＲＣ）層を継続して使用しつつ、ＵＥのためにアンカーサービングセルからターゲットＴＰへのハンドオーバーが生じることを可能とすべく、チャネル状態情報リファレンス信号（ＣＳＩ−ＲＳ）を用いてＵＥによるチャネル測定報告を送信するよう構成された回路も有し得る。
【００８５】
様々な技術、またはその特定の態様または一部は、フロッピー（登録商標）ディスク、ＣＤ−ＲＯＭ、ハードドライブ、非一時的コンピュータ可読記憶媒体、または何らかの他のマシン可読記憶媒体など有形媒体で実装されるプログラムコード（つまり、命令）の形態であり得る。ここで、プログラムコードがコンピュータなどのマシンにロードされ、実行された場合に、マシンは、様々な技術を実施する装置となる。プログラム可能なコンピュータ上でのプログラムコードの実行の場合、コンピューティングデバイスは、プロセッサ、プロセッサにより読み取り可能な記憶媒体（揮発性および不揮発性メモリ、並びに／若しくは記憶要素を含む）、少なくとも１つの入力デバイス、および少なくとも１つの出力デバイスを含み得る。揮発性および不揮発性メモリ、並びに／若しくは記憶要素は、ＲＡＭ、ＥＰＲＯＭ、フラッシュドライブ、光学ドライブ、磁気ハードドライブ、または他の、電子データを格納するための媒体であり得る。基地局およびモバイルデバイスは、送受信機モジュール、カウンタモジュール、処理モジュール、並びに／若しくはクロックモジュールまたはタイマーモジュールも含み得る。本明細書に説明される様々な技術を実装または利用し得る１または複数のプログラムは、アプリケーションプログラミングインタフェース（ＡＰＩ）、リユーザブルコントロール、およびその他を用い得る。そのようなプログラムは、コンピュータシステムと通信するべく、高水準手順型またはオブジェクト指向プログラミング言語で実装され得る。しかし所望される場合には、プログラムはアセンブリ言語またはマシン言語で実装され得る。いずれの場合であっても、言語はコンパイラ型言語またはインタプリタ型言語であり得、ハードウェア実装と組み合わせられ得る。
【００８６】
本明細書において説明される機能ユニットの多くが、それらの実装の独立性を特に強調するために、モジュールとして符号が付されていることは理解されるべきである。例えばモジュールは、カスタムＶＬＳＩ回路またはゲートアレイ、ロジックチップなどの既製の半導体、トランジスタ、若しくは他の別個のコンポーネントを備えるハードウェア回路として実装され得る。モジュールは、フィールドプログラマブルゲートアレイ、プログラマブルアレイロジック、プログラマブルロジックデバイス、またはその他などプログラマブルハードウェアデバイスでも実装され得る。
【００８７】
モジュールは、様々なタイプのプロセッサにより実行されるソフトウェアでも実装され得る。例えば実行可能なコードの特定されたモジュールは、例えばオブジェクト、プロシージャ、または関数として編成され得るコンピュータ命令の１または複数の物理的またはロジック的なブロックを備え得る。それにも関わらず、特定されたモジュールの実行可能なファイルは、物理的に一緒に位置する必要はなく、ロジック的に一緒に組み合わせられた場合にモジュールを構成しモジュールに関して述べられた目的を達成する、異なる位置に格納された異種の命令を備え得る。
【００８８】
実際、実行可能なコードのモジュールは１つの命令または多くの命令であり得、さらには、いくつかの異なるコードセグメントに亘って、異なるプログラム間で、およびいくつかのメモリデバイスを跨いで分配され得る。同様に、本明細書においては処理データがモジュール内で特定され示され得、何らかの適したタイプのデータ構造内で何らかの適した形態で実装され編成され得る。処理データは１つのデータセットとして集められ得、または、異なる記憶デバイスを含む異なる位置に亘って分配させられ得、および、システムまたはネットワーク上で単に電子信号として少なくとも部分的に存在し得る。モジュールは受動的または能動的であり得、所望される機能を実行するよう動作可能なエージェントを含む。
【００８９】
本明細書を通じて「一実施形態」または「実施形態」について言及した場合、このことは、実施形態に関連して説明された特定の特徴、構造、または特性が本願発明の少なくとも１つの実施形態に含まれることを意味する。したがって本明細書を通じて様々な箇所において「一実施形態」または「実施形態」というフレーズが出現した場合、これらは、必ずしも全てが同じ実施形態を指しているとは限らない。
【００９０】
本明細書において用いられるように、複数の項目、構造要素、構成要素、および／または材料は、便宜上共通のリストに提示され得る。しかし、これらのリストは、リストの各部材が別個かつ一意の部材として個別に特定されるかのように解釈されるべきである。したがって、そのようなリストの個々の部材は、反対のことが示されていなくとも、それらが共通のグループに提示されていることのみに基づいて、事実上、同じリストの何らかの他の部材の同等物であるものと解釈されるべきである。加えて、本明細書において、本願発明の様々な実施形態および実施例が、それらの様々なコンポーネントの代替例と併せて言及され得る。そのような実施形態、実施例、代替例は、互いの実質的な同等物として解釈されず、本願発明の別個かつ自律的な表現として見なされるべきであることを理解されたい。
【００９１】
さらに、説明された特徴、構造、または特性は、１または複数の実施形態において、何らかの適したやり方で組み合わせられ得る。以下の説明において、本願発明の実施形態の深い理解を提供すべく、材料、ファスナ、サイズ、長さ、幅、形状、その他の例など様々な特定的な詳細が提供される。しかし当業者は、それら特定的な詳細のうち１または複数を用いずとも、若しくは、他の方法、コンポーネント、材料、その他を用いても本願発明が実施され得ることを理解されよう。他の例においては、本願発明の態様を曖昧にすることを回避すべく、周知の構造、材料、または処理が示されておらず、または詳細に説明されていない。
【００９２】
前述の例は、１または複数の特定の適用例における本願発明の原理を例示するものであるが、発明的才能を発揮することなく、また、本願発明の原理および概念から逸脱することなく実装の形態、使用、および詳細に関する様々な修正が可能であることが当業者には明らかであろう。したがって、本願発明が以下に明記される請求項以外によって限定されることは意図されていない。
［項目１］
異種無線ネットワーク（ＨｅｔＮｅｔ）においてハンドオーバーを実行するための方法であり、
前記ＨｅｔＮｅｔのアンカーサービングセルにおいて、複数のセルに関してユーザ機器（ＵＥ）により作成された複数のチャネル測定報告を受信する段階と、
前記アンカーサービングセルから前記複数のセルのうち１つに位置するターゲット送信ポイント（ターゲットＴＰ）へ、前記ＵＥに関する前記複数のチャネル測定報告に部分的に基づく送信ポイント変更要求（ＴＰ変更要求）を送信する段階と、
前記ＵＥが無線インタフェースを介して通信を行う相手であるＴＰの変更を示すべく前記アンカーサービングセルから前記ＵＥへＴＰ変更インジケータを送信する段階と
を備える方法。
［項目２］
前記方法は、前記アンカーサービングセルにおいて前記ターゲットＴＰを介して前記ＵＥから複数のアップリンクパケットを受信する段階をさらに備え、
前記複数のアップリンクパケットは、前記無線インタフェースを介して前記ＵＥからターゲットＴＰへ送信され、前記ターゲットＴＰから前記アンカーサービングセルへ転送され、
前記方法は、前記無線インタフェースを介した前記ＵＥへの送信のために、前記アンカーサービングセルから前記ターゲットＴＰへ複数のダウンリンクパケットを送信する段階をさらに備える、項目１に記載の方法。
［項目３］
前記複数のチャネル測定報告を受信する段階はさらに、前記アンカーサービングセルにより構成される無線リソース制御（ＲＲＣ）層を継続して使用しつつ、前記ＵＥのために前記アンカーサービングセルから前記ターゲットＴＰへのハンドオーバーが生じることを可能とすべく、複数のチャネル状態情報リファレンス信号（ＣＳＩ−ＲＳ）を用いて前記ＵＥによる前記複数のチャネル測定報告を受信する段階を有する、項目１または２に記載の方法。
［項目４］
ダウンリンク制御情報（ＤＣＩ）と、無線リソース制御（ＲＲＣ）シグナリングと、媒体アクセス制御（ＭＡＣ）制御要素（ＣＥ）とのうち１つを用いて、前記アンカーサービングセルから前記ＵＥへ前記ＴＰ変更インジケータを送信する段階をさらに備える、項目１から３のいずれか一項に記載の方法。
［項目５］
前記ターゲットＴＰを介して前記アンカーサービングセルから前記ＵＥへマスター情報ブロック（ＭＩＢ）とシステム情報ブロック（ＳＩＢ）とのうち少なくとも１つを送信する段階をさらに備える、項目１から４のいずれか一項に記載の方法。
［項目６］
無線リソース制御（ＲＲＣ）層シグナリングを用いて前記ターゲットＴＰから前記ＵＥへマスター情報ブロック（ＭＩＢ）とシステム情報ブロック（ＳＩＢ）とのうち少なくとも１つを送信する段階をさらに備える、項目１から５のいずれか一項に記載の方法。
［項目７］
前記方法は、ソースＴＰからターゲットＴＰへ変更する段階をさらに備え、
前記変更する段階は、
前記ＨｅｔＮｅｔの前記アンカーサービングセルにおいて、前記複数のセルに関して前記ユーザ機器（ＵＥ）により作成された複数のチャネル測定報告を受信する段階と、
前記複数のチャネル測定報告に部分的に基づき、ＴＰの変更が実行されることを識別する段階と、
前記ソースＴＰがＴＰ変更要求を前記ターゲットＴＰへ転送すること可能とするよう前記ターゲットＴＰに指示する前記ＴＰ変更要求を前記アンカーサービングセルから前記ソースＴＰへ送信する段階と
を備える、項目１から６のいずれか一項に記載の方法。
［項目８］
前記方法は、前記アンカーサービングセルへのアップリンク／ダウンリンクデータパスを形成する段階をさらに備え、
前記形成する段階は、
前記アンカーサービングセルと、モバイル制御エンティティ（ＭＭＥ）およびサービングゲートウェイ（Ｓ−ＧＷ）のうち少なくとも１つとの間のｓ１データ接続を形成する段階と、
前記ＵＥとのＵｕ接続を有する前記ターゲットＴＰを介して、前記ＭＭＥおよび前記Ｓ−ＧＷのうち１つと前記ＵＥとの間のデータ通信を可能とすべく、前記アンカーサービングセルと前記ターゲットＴＰとの間のＸ２インタフェースを形成する段階と
を備える、項目１から７のいずれか一項に記載の方法。
［項目９］
前記アンカーサービングセルと前記ターゲットＴＰとの間のアップリンクデータ転送およびダウンリンクデータ転送を可能とすべく、前記アンカーサービングセルと前記ターゲットＴＰとの間のＵプレーントンネルを形成する段階と、
前記アンカーサービングセルと前記ターゲットセルとの間のダウンリンクおよびアップリンクのためにシグナリング無線ベアラー（ＳＲＢ）通信を可能とすべく、前記アンカーサービングセルと前記ターゲットＴＰとの間のｃプレーントンネルを形成する段階と
をさらに備える、項目８に記載の方法。
［項目１０］
異種無線ネットワーク（ＨｅｔＮｅｔ）においてハンドオーバーを実行するユーザ機器（ＵＥ）であり、
前記ＵＥはコンピュータ回路を備え、
前記コンピュータ回路は、
前記ＵＥとの無線インタフェースのためのターゲット送信ポイント（ターゲットＴＰ）を示す送信ポイント変更インジケータを、アンカーサービングセルから前記ＵＥにおいて受信し、
前記ターゲットＴＰがコアネットワークへの通信のためにアップリンクデータを前記アンカーサービングセルへ転送することを可能とするよう、前記ＵＥから前記ターゲットＴＰへ前記アップリンクデータを送信し、
前記アンカーサービングセルを介して前記コアネットワークから前記ターゲットＴＰへ送信されるダウンリンクデータを、前記ＵＥにおいて前記ターゲットＴＰから受信する、ＵＥ。
［項目１１］
さらに、ダウンリンク制御情報（ＤＣＩ）と、無線リソース制御（ＲＲＣ）シグナリングと、媒体アクセス制御（ＭＡＣ）制御要素（ＣＥ）とのうち１つを用いて、前記ＵＥにおいて前記送信ポイント変更インジケータを受信する回路を備える、項目１０に記載のＵＥ。
［項目１２］
さらに、キャリア固有リソース信号（ＣＲＳ）が前記ターゲットＴＰに関連する場合に、前記ターゲットＴＰに関するＣＲＳリソース要素（ＲＥ）の位置を特定し、
複数の前記ＣＲＳリソース要素（ＲＥ）のために用いられない物理ダウンリンク共有チャネル（ＰＤＳＣＨ）リソース要素を受信する回路を備える、項目１０または１１に記載のＵＥ。
［項目１３］
さらに、前記ターゲットＲＰに対応するチャネル状態情報（ＣＳＩ）リファレンス信号（ＲＳ）情報に基づき無線リンクモニタリングおよびアップリンク電力制御を実行する回路を備える、項目１０から１２のいずれか一項に記載のＵＥ。
［項目１４］
さらに、前記ターゲットＴＰが前記アンカーサービングセルとは異なる受信ポイント（ＲＰ）を含む場合に、前記ターゲットＴＰとのアップリンク同期化を実行すべく、前記ターゲットＴＰへ物理ランダムアクセスチャネル（ＰＲＡＣＨ）プリアンブルを送信する回路を備える、項目１０から１３のいずれか一項に記載のＵＥ。
［項目１５］
さらに、前記ターゲットＴＰのチャネル状態情報リファレンス信号（ＣＳＩ−ＲＳ）を用いて無線リンクモニタリングおよびアップリンク電力制御を実行する回路を備える、項目１０から１４のいずれか一項に記載のＵＥ。
［項目１６］
さらに、前記ターゲットＴＰの前記ＣＳＩ−ＲＳを用いて同期リファレンスを変更する回路を備える、項目１５に記載のＵＥ。
［項目１７］
さらに、前記アンカーサービングセルにより構成される無線リソース制御（ＲＲＣ）層を継続して使用しつつ、前記ＵＥのために前記アンカーサービングセルから前記ターゲットＴＰへのハンドオーバーが生じることを可能とすべく、複数のチャネル状態情報リファレンス信号（ＣＳＩ−ＲＳ）を用いて前記ＵＥによる複数のチャネル測定報告を送信する回路を備える、項目１０から１６のいずれか一項に記載のＵＥ。
［項目１８］
前記ＵＥが、アンテナ、タッチセンサー式ディスプレイスクリーン、スピーカ、マイク、グラフィックプロセッサ、アプリケーションプロセッサ、内部メモリ、不揮発性メモリポート、およびこれらの組み合わせのうち少なくとも１つを備える、項目１０から１７のいずれか一項に記載のＵＥ。
［項目１９］
ターゲット送信ポイント（ターゲットＴＰ）における異種ネットワーク（ＨｅｔＮｅｔ）ハンドオーバーデバイスであり、
ユーザ機器（ＵＥ）に関してアンカーサービングセルからＴＰ変更要求を受信する送信ポイント（ＴＰ）変更モジュールと、
コアネットワーク（ＣＮ）から送信されるダウンリンク情報を前記アンカーサービングセルから受信するダウンリンクデータ転送モジュールと、
前記ＵＥへ前記ダウンリンク情報を送信し、前記ＵＥと前記ターゲット送信ポイントとの間の無線インタフェースを介して前記ＵＥからアップリンク情報を受信する無線インタフェースモジュールと、
前記ＵＥが前記ターゲットＴＰを介して前記ＣＮと通信することを可能すべく、前記ＣＮへの通信のために前記アップリンク情報を前記アンカーサービングセルへ送信するアップリンク転送モジュールと
を備えるＨｅｔＮｅｔハンドオーバーデバイス。
［項目２０］
前記アンカーサービングセルからのパケットをバッファ処理するバッファモジュールをさらに備える、項目１９に記載のＨｅｔＮｅｔハンドオーバーデバイス。
［項目２１］
前記ダウンリンクデータ転送モジュールはさらに、Ｘ２インタフェースを介して前記アンカーサービングセルから前記ダウンリンク情報を受信する、項目１９または２０に記載のＨｅｔＮｅｔハンドオーバーデバイス。
［項目２２］
前記ダウンリンク情報は、Ｓ１接続を介して、モバイル制御エンティティ（ＭＭＥ）とサービングゲートウェイ（Ｓ−ＧＷ）とのうち少なくとも１つから前記アンカーサービングセルへ受信される、項目１９から２１のいずれか一項に記載のＨｅｔＮｅｔハンドオーバーデバイス。
【図１】
0006017024.tif 000002
【図２】
0006017024.tif 000003
【図３】
0006017024.tif 000004
【図４】
0006017024.tif 000005
【図５ａ】
0006017024.tif 000006
【図５ｂ】
0006017024.tif 000007
【図６ａ】
0006017024.tif 000008
【図６ｂ】
0006017024.tif 000009
【図７】
0006017024.tif 000010
【図８】
0006017024.tif 000011